(57)【特許請求の範囲】
【請求項１】
トレーサビリティシステムにおいて鶏卵の履歴情報を提供可能とするために鶏卵に付与した前記鶏卵の履歴情報を特定するために用いられる鶏卵検索コードにもとづいて、伝染病の感染が発覚した鶏卵に関係する前記伝染病に感染している可能性のある危険鶏卵を特定する鶏卵管理方法であって、
伝染病の感染が発覚した鶏卵の鶏舎を示す鶏舎情報と、該鶏卵の採卵日を示す採卵日情報とを受け付け、
受け付けた鶏舎情報が示す鶏舎を含む所定エリアの鶏舎を危険鶏舎に決定し、
受け付けた採卵日情報が示す採卵日以降に前記決定した危険鶏舎で採卵された鶏卵を、各鶏卵に付与されている鶏卵検索コードを含む鶏卵マスタコードを用いて探索し、
探索した鶏卵を前記危険鶏卵として特定する
ことを特徴とする鶏卵管理方法。
【請求項２】
鶏卵マスタコードは、鶏卵検索コードと、採卵日を特定可能な採卵日コードと、鶏卵の履歴情報を特定可能な履歴特定コードとを含む
請求項１記載の鶏卵管理方法。
【請求項３】
鶏卵履歴コードは、鶏卵が採卵された鶏舎を示す鶏舎コードを含む
請求項２記載の鶏卵管理方法。
【請求項４】
危険鶏卵として特定した鶏卵の鶏卵検索コードを提示した危険鶏卵情報を通信ネットワークを介して配信する
請求項１から請求項３のうちいずれかに記載の鶏卵管理方法。
【請求項５】
鶏卵を含む所定の複数種類の食物の履歴情報を特定するために用いられる固定長、或いはあらかじめ定められたコード長の範囲内で前記複数種類の食物の履歴情報を特定するために用いられる特定長の検索コードのうち、各鶏卵の履歴情報を特定するための履歴特定コードに対応付けされる前記鶏卵検索コードとして用いることが許容されている範囲を特定し、
該特定した範囲の鶏卵検索コードのうち、未使用の鶏卵検索コードのいずれかを、鶏卵に付与する鶏卵検索コードとすることに決定し、
決定した鶏卵検索コードを履歴情報が同一の鶏卵に付与し、
鶏卵に付与した鶏卵検索コードを、履歴特定コード及び採卵日を特定可能な採卵日コードに対応付けして保存し、
端末装置からの採卵日コードを特定可能な採卵日関連コード及び／又は鶏卵検索コードを提示した履歴情報の提供要求に応じて、採卵日関連コードによって特定される採卵日コード及び鶏卵検索コードに対応付けされている履歴特定コードを探索し、探索した履歴特定コードによって特定される履歴情報を、前記端末装置に対して通信ネットワークを介して送信する
請求項１から請求項４のうちいずれかに記載の鶏卵管理方法。
【請求項６】
鶏卵検索コードの下位桁に履歴特定コードが対応付けされているとともに、当該鶏卵検索コードの上位桁に採卵日コードが対応付けされており、
端末装置からの採卵日コードの下位桁に鶏卵検索コードが対応付けされた履歴要求情報を提示した履歴情報の提供要求に応じて、当該履歴要求情報に対応付けされている履歴特定コードを探索する
請求項５記載の鶏卵管理方法。
【請求項７】
採卵日関連コードは、採卵日コード、賞味期限を示す賞味期限コード、または品質保証期限を示す品質保証期限コード、或いは鶏卵検索コードで一意に対応させたコードとする
請求項５または請求項６記載の鶏卵管理方法。
【請求項８】
トレーサビリティシステムにおいて鶏卵の履歴情報を提供可能とするために鶏卵に付与した前記鶏卵の履歴情報を特定するために用いられる鶏卵検索コードにもとづいて、伝染病の感染が発覚した鶏卵に関係する前記伝染病に感染している可能性のある危険鶏卵を特定する鶏卵管理システムであって、
伝染病の感染が発覚した鶏卵の鶏舎を示す鶏舎情報と、該鶏卵の採卵日を示す採卵日情報とを受け付ける感染鶏卵情報受付手段と、
該感染鶏卵情報受付手段が受け付けた鶏舎情報が示す鶏舎を含む所定エリアの鶏舎を危険鶏舎に決定する危険鶏舎決定手段と、
前記感染鶏卵情報受付手段が受け付けた採卵日情報が示す採卵日以降に前記危険鶏舎決定手段が決定した危険鶏舎で採卵された鶏卵を、各鶏卵に付与されている鶏卵検索コードを含む鶏卵マスタコードを用いて探索する危険鶏卵探索手段と、
該危険鶏卵探索手段が探索した鶏卵を前記危険鶏卵として特定する危険鶏卵特定手段とを含む
ことを特徴とする鶏卵管理システム。
【請求項９】
鶏卵マスタコードは、鶏卵検索コードと、採卵日を特定可能な採卵日コードと、鶏卵の履歴情報を特定可能な履歴特定コードとを含む
請求項８記載の鶏卵管理システム。
【請求項１０】
鶏卵履歴コードは、鶏卵が採卵された鶏舎を示す鶏舎コードを含む
請求項９記載の鶏卵管理システム。
【請求項１１】
危険鶏卵として特定した鶏卵の鶏卵検索コードを提示した危険鶏卵情報を通信ネットワークを介して配信する危険鶏卵情報配信手段を含む
請求項８から請求項１０のうちいずれかに記載の鶏卵管理システム。
【請求項１２】
鶏卵を含む所定の複数種類の食物の履歴情報を特定するために用いられる固定長、或いはあらかじめ定められたコード長の範囲内で前記複数種類の食物の履歴情報を特定するために用いられる特定長の検索コードのうち、各鶏卵の履歴情報を特定するための履歴特定コードに対応付けされる前記鶏卵検索コードとして用いることが許容されている範囲を特定する許容範囲特定手段と、
該特定した範囲の鶏卵検索コードのうち、未使用の鶏卵検索コードのいずれかを、鶏卵に付与する鶏卵検索コードとすることに決定する鶏卵検索コード決定手段と、
決定した鶏卵検索コードを履歴情報が同一の鶏卵に付与する鶏卵検索コード付与手段と、
鶏卵に付与した鶏卵検索コードを、履歴特定コード及び採卵日を特定可能な採卵日コードに対応付けして保存する鶏卵検索コード保存手段と、
端末装置からの採卵日コードを特定可能な採卵日関連コード及び／又は鶏卵検索コードを提示した履歴情報の提供要求に応じて、採卵日関連コードによって特定される採卵日コード及び鶏卵検索コードに対応付けされている履歴特定コードを探索し、探索した履歴特定コードによって特定される履歴情報を、前記端末装置に対して通信ネットワークを介して送信する履歴情報提供手段とを含む
請求項８から請求項１１のうちいずれかに記載の鶏卵管理システム。
【請求項１３】
鶏卵検索コードの下位桁に履歴特定コードが対応付けされているとともに、当該鶏卵検索コードの上位桁に採卵日コードが対応付けされており、
履歴情報提供手段は、端末装置からの採卵日コードの下位桁に鶏卵検索コードが対応付けされた履歴要求情報を提示した履歴情報の提供要求に応じて、当該履歴要求情報に対応付けされている履歴特定コードを探索する
請求項１２記載の鶏卵管理システム。
【請求項１４】
採卵日関連コードは、採卵日コード、賞味期限を示す賞味期限コード、または品質保証期限を示す品質保証期限コード、或いは鶏卵検索コードで一意に対応させたコードとする
請求項１２または請求項１３記載の鶏卵管理システム。
【発明の詳細な説明】
【技術分野】
【０００１】
本発明は、トレーサビリティシステムにおいて鶏卵の履歴情報を提供可能とするために鶏卵に付与した鶏卵の履歴情報を特定するために用いられる鶏卵検索コードにもとづいて、伝染病の感染が発覚した鶏卵に関係する伝染病に感染している可能性のある危険鶏卵を特定する鶏卵管理方法、および鶏卵管理システムに関する。
【背景技術】
【０００２】
近年、卵を購入した消費者等に対して、その卵の生産・流通履歴をインターネットなどの通信ネットワークを介して提供するトレーサビリティシステムが利用されるようになってきている。
【０００３】
トレーサビリティシステムでは、卵が収容されるパック等の容器に印字されたコード（鶏卵検索コード）を検索キーとすることで、その卵の生産・流通履歴を検索し閲覧することが可能となる。
【０００４】
従来から、卵選別包装施設（ＧＰセンタ）において、鶏卵の選別や包装を行うとともに、卵が収容される容器にトレーサビリティシステムにて利用される鶏卵検索コードを印字し、印字された鶏卵検索コードに基づいて該当する卵の生産・流通履歴を提供するシステムが提案されている（例えば、特許文献１参照）。
【０００５】
【特許文献１】特開２００４−３４４０４０号公報
【発明の開示】
【発明が解決しようとする課題】
【０００６】
上述した特許文献１に記載された従来のシステムでは、指定された鶏卵検索コードに該当する卵の履歴情報の検索は可能であるが、所定の条件を満たす卵を履歴情報にもとづいて特定することはできない。例えば、従来のシステムでは、ある卵が鳥インフルエンザに感染していることが発覚した場合に、その感染卵に関連して鳥インフルエンザの感染が疑われる卵を特定することはできない。
【０００７】
このように、従来のシステムでは、ある鶏卵が鳥インフルエンザなどの伝染病に感染した場合に、迅速かつ的確に感染のおそれがある他の鶏卵を特定することができないことから、適切な対策を早期に講じることができないという問題があった。
【０００８】
本発明は、上述した問題を解消し、鳥インフルエンザなどの伝染病の感染が発覚した場合に、迅速かつ的確に感染のおそれがある鶏卵を特定することができ、廃棄などの伝染病の対策を早期に講じることができるようにすることを目的とする。
【課題を解決するための手段】
【０００９】
本発明の鶏卵管理方法は、トレーサビリティシステムにおいて鶏卵の履歴情報を提供可能とするために鶏卵に付与した前記鶏卵の履歴情報を特定するために用いられる鶏卵検索コードにもとづいて、伝染病の感染が発覚した鶏卵に関係する前記伝染病に感染している可能性のある危険鶏卵を特定する鶏卵管理方法であって、伝染病の感染が発覚した鶏卵の鶏舎を示す鶏舎情報と、該鶏卵の採卵日を示す採卵日情報とを受け付け、受け付けた鶏舎情報が示す鶏舎を含む所定エリアの鶏舎を危険鶏舎に決定し、受け付けた採卵日情報が示す採卵日以降に前記決定した危険鶏舎で採卵された鶏卵を、各鶏卵に付与されている鶏卵検索コードを含む鶏卵マスタコードを用いて探索し、探索した鶏卵を前記危険鶏卵として特定することを特徴とする。
【００１０】
上記のように構成したことで、鳥インフルエンザなどの伝染病の感染が発覚した場合に、迅速かつ的確に感染のおそれがある危険鶏卵を特定することができ、危険鶏卵の廃棄などの伝染病の対策を早期に講じることができるようになる。
【００１１】
鶏卵マスタコードは、例えば、鶏卵検索コードと、採卵日を特定可能な採卵日コードと、鶏卵の履歴情報を特定可能な履歴特定コードとを含む。また、鶏卵履歴コードは、例えば、鶏卵が採卵された鶏舎を示す鶏舎コードを含む。
【００１２】
危険鶏卵として特定した鶏卵の鶏卵検索コードを提示した危険鶏卵情報を通信ネットワークを介して配信する構成とされていてもよい。
【００１３】
鶏卵を含む所定の複数種類の食物の履歴情報を特定するために用いられる固定長、或いはあらかじめ定められたコード長の範囲内で前記複数種類の食物の履歴情報を特定するために用いられる特定長の検索コードのうち、各鶏卵の履歴情報を特定するための履歴特定コードに対応付けされる前記鶏卵検索コードとして用いることが許容されている範囲を特定し、該特定した範囲の鶏卵検索コードのうち、未使用の鶏卵検索コードのいずれかを、鶏卵に付与する鶏卵検索コードとすることに決定し、決定した鶏卵検索コードを履歴情報が同一の鶏卵に付与し、鶏卵に付与した鶏卵検索コードを、履歴特定コード及び採卵日を特定可能な採卵日コードに対応付けして保存し、端末装置からの採卵日コードを特定可能な採卵日関連コード及び／又は鶏卵検索コードを提示した履歴情報の提供要求に応じて、採卵日関連コードによって特定される採卵日コード及び鶏卵検索コードに対応付けされている履歴特定コードを探索し、探索した履歴特定コードによって特定される履歴情報を、前記端末装置に対して通信ネットワークを介して送信するように構成されていてもよい。
【００１４】
鶏卵検索コードの下位桁に履歴特定コードが対応付けされているとともに、当該鶏卵検索コードの上位桁に採卵日コードが対応付けされており、端末装置からの採卵日コードの下位桁に鶏卵検索コードが対応付けされた履歴要求情報を提示した履歴情報の提供要求に応じて、当該履歴要求情報に対応付けされている履歴特定コードを探索するように構成されていてもよい。
【００１５】
採卵日関連コードは、例えば、採卵日コード、賞味期限を示す賞味期限コード、または品質保証期限を示す品質保証期限コード、或いは鶏卵検索コードで一意に対応させたコードとされる。
【００１６】
また、本発明の鶏卵管理システムは、トレーサビリティシステムにおいて鶏卵の履歴情報を提供可能とするために鶏卵に付与した前記鶏卵の履歴情報を特定するために用いられる鶏卵検索コードにもとづいて、伝染病の感染が発覚した鶏卵に関係する前記伝染病に感染している可能性のある危険鶏卵を特定する鶏卵管理システムであって、伝染病の感染が発覚した鶏卵の鶏舎を示す鶏舎情報と、該鶏卵の採卵日を示す採卵日情報とを受け付ける感染鶏卵情報受付手段と、該感染鶏卵情報受付手段が受け付けた鶏舎情報が示す鶏舎を含む所定エリアの鶏舎を危険鶏舎に決定する危険鶏舎決定手段と、前記感染鶏卵情報受付手段が受け付けた採卵日情報が示す採卵日以降に前記危険鶏舎決定手段が決定した危険鶏舎で採卵された鶏卵を、各鶏卵に付与されている鶏卵検索コードを含む鶏卵マスタコードを用いて探索する危険鶏卵探索手段と、該危険鶏卵探索手段が探索した鶏卵を前記危険鶏卵として特定する危険鶏卵特定手段とを含むことを特徴とする。
【発明の効果】
【００１７】
本発明によれば、鳥インフルエンザなどの伝染病の感染が発覚した場合に、迅速かつ的確に感染のおそれがある危険鶏卵を特定することができ、危険鶏卵の廃棄などの伝染病の対策を早期に講じることができるようになる。
【発明を実施するための最良の形態】
【００１８】
以下、本発明の一実施の形態について図面を参照して説明する。
図１は、本発明の一実施の形態に係る鶏卵情報管理システム１００の構成の例を示すブロック図である。図１に示すように、鶏卵情報管理システム１００は、生産履歴情報管理サーバ１０と、鶏卵マスタコード管理サーバ２０と、ＧＰセンタサーバ３０と、鶏卵コード付与装置４１〜４Ｎ（Ｎ：任意の正の整数）とを含む。
【００１９】
生産履歴情報管理サーバ１０、鶏卵マスタコード管理サーバ２０、およびＧＰセンタサーバ３０それぞれ、例えばインターネットなどの通信ネットワーク５０に接続されている。また、ＧＰセンタサーバ３０、および鶏卵コード付与装置４１〜４Ｎは、それぞれ、例えばＧＰセンタＡ内に配されている例えばＬＡＮなどの通信ネットワーク６０に接続されている。
【００２０】
なお、図１では、ＧＰセンタＡ内に設置されたＧＰセンタサーバ３０と鶏卵コード付与装置４１〜４Ｎが示されているが、他のＧＰセンタに設置されたＧＰセンタサーバや鶏卵コード付与装置が鶏卵情報管理システム１００に含まれていてもよい。
【００２１】
生産履歴情報管理サーバ１０、鶏卵マスタコード管理サーバ２０、およびＧＰセンタサーバ３０は、それぞれ、ＷＷＷサーバなどの情報処理装置によって構成される。
【００２２】
生産履歴情報管理サーバ１０は、例えば鶏卵情報管理システム１００の一部または全部を含むトレーサビリティシステムのシステム管理者によって管理されるサーバであり、トレーサビリティシステムにて提供される生産履歴情報の管理や、生産履歴情報の提供処理などの各種の処理を実行する。生産履歴情報管理サーバ１０は、少なくとも鶏卵の生産履歴情報を含む生産履歴情報が格納される生産履歴情報ＤＢ１１を備えている。生産履歴情報ＤＢ１１には、例えば携帯通信端末等の通信端末装置を用いて生産者によって登録された生産情報が、生産履歴情報として格納される。「生産履歴情報」は、本例では鶏卵の生産に関する各種の情報であって、例えば、鶏舎名（養鶏場名）、鶏舎所在地（養鶏場所在地）、鶏舎管理者名（養鶏場管理者名）、採卵日、鶏卵の銘柄、鶏卵のサイズ、出荷日、出荷先ＧＰセンタ名などの情報が含まれる。なお、生産履歴情報ＤＢ１１は、生産履歴情報管理サーバ１０の内部にあっても外部にあってもよい。
【００２３】
鶏卵マスタコード管理サーバ２０は、例えば鶏卵情報管理システム１００のシステム管理者によって管理されるサーバであり、個品コードを発行する処理や、発行済の個品コードを含む鶏卵マスタコードの管理などの各種の処理を実行する。鶏卵マスタコード管理サーバ２０は、鶏卵マスタコードなどが格納される鶏卵マスタコードＤＢ２１を備えている。鶏卵マスタコードＤＢ２１には、例えば、鶏卵マスタコード管理サーバ２０が発行した個品コードを含む鶏卵マスタコードが格納される。「鶏卵マスタコード」や「個品コード」については、後で詳しく説明する。なお、鶏卵マスタコードＤＢ２１は、鶏卵マスタコード管理サーバ２０の内部にあっても外部にあってもよい。
【００２４】
ＧＰセンタサーバ３０は、例えばＧＰセンタＡを管理するＧＰセンタ管理者によって管理され、通信ネットワーク６０を介して各鶏卵コード付与装置４１〜４Ｎと情報のやりとりを行うとともに、通信ネットワーク５０を介して生産履歴情報管理サーバ１０や鶏卵マスタコード管理サーバ２０などと情報のやりとりを行う。
【００２５】
鶏卵コード付与装置４１〜４Ｎは、それぞれ、鶏卵に鶏卵検索コードを付与（印字）する処理や、鶏卵を鶏卵用のパックに詰める処理などの各種の処理を行う。なお、各鶏卵コード付与装置４１〜４Ｎは、同一の構成であるため、以下の説明においては主として鶏卵コード付与装置４１について説明する。
【００２６】
図２は、鶏卵マスタコードＤＢ２１に格納される鶏卵マスタコードの例を示す説明図である。図２に示すように、鶏卵マスタコードは、採卵日を特定可能な採卵日コードと、生産・流通履歴を同一にする鶏卵の一部または全部毎に与えられる個品コードとを含む構成とされる。本例では、鶏卵マスタコードは、上５桁を採卵日コードとし、下１６桁を個品コードとしたコード構成とされている。なお、採卵日コードや個品コードの桁数は、他の数であってもよい。
【００２７】
個品コードは、鶏卵の生産・履歴情報を特定可能なコードであって、トレーサビリティシステムにおける検索キーとして鶏卵に付与される鶏卵検索コードと、鶏卵の履歴情報を特定するための鶏卵履歴コードとによって構成される。本例では、上５桁が鶏卵検索コードとされ、下１１桁が鶏卵履歴コードとされる。なお、鶏卵検索コード及び鶏卵履歴コードの桁数は他の数であってもよい。
【００２８】
鶏卵検索コードは、本例では、５桁の番号「０００００」〜「９９９９９」であり、同一履歴の鶏卵であると認識可能な場合には、その鶏卵については同一の番号が付与される。鶏卵検索コードは、本例では、鶏卵を含む所定の複数種類の食物の履歴情報を特定するために用いられる固定長（例えば５桁）の検索コードのうち、鶏卵の履歴情報を特定するために用いられるコードであり、そのため検索コードと同じ大きさのコード長（例えば５桁）で表現される。なお、検索コードは、あらかじめ定められたコード長（例えば８桁）の範囲内で、複数種類の食物の履歴情報を特定するために用いられる特定長（例えば５桁）とされていてもよい。すなわち、例えばあらかじめ最大のコード長（例えば８桁）を定めておき、その最大コード長の範囲内で、必要に応じて特定長（例えば５桁）のコードを検索コードとして用いるようにしてもよい。
【００２９】
鶏卵履歴コードは、鶏卵についての採卵日を除く生産情報と、鶏卵の流通情報とを含む。流通情報は、例えば、ＧＰセンタ入荷日、出荷先販売店舗、販売店舗への出荷日、賞味期限、品質保証期限など、鶏卵の流通に関わる各種の情報とされる。
【００３０】
図３は、検索コード割当テーブルの例を示す説明図である。検索コード割当テーブルは、複数の食物に対する検索コードの割り当てが設定されたテーブルである。検索コードは、該当する食物の履歴情報を検索するためのコードであり、鶏卵検索コードなどの各種のコードを含む。本例では、図３に示す検索コード割当テーブルＡでは、５桁の検索コードのうち、「０００００」〜「３００００」が鶏卵検索コードに割り当てられており、「３０００１」〜「８００００」がジャガイモの履歴情報を検索するためのジャガイモ検索コードに割り当てられており、「８０００１」〜「９９９９９」がりんごの履歴情報を検索するためのりんご検索コードに割り当てられている。
【００３１】
検索コード割当テーブルにおいて各食物に割り当てられるコードの範囲は、検索コードが更新される期間中に使用されることが予測される十分な範囲とされる。例えば、検索コードが１月毎に更新される場合であって、その期間中には鶏卵について２５０００〜２８０００個ぐらいの検索コードが使用されると予測される場合には、その最大値よりも多い数（例えば図３に示すような３０００１個）の検索コードが鶏卵に割り当てられる。このような割り当てを行えば、鶏卵に割り当てられていない範囲の検索コードを、他の食物に割り当てることができる。
【００３２】
図４は、使用テーブル決定用マスタの例を示す説明図である。本例えは、図３に示すような検索コード割当テーブルがあらかじめ複数種類用意されているものとし、使用テーブル決定用マスタにもとづいて、使用する検索コード割当テーブルが決定されるものとする。
【００３３】
使用テーブル決定用マスタには、各検索コード割当テーブルＡ〜Ｃに対応付けされて、選択条件が設定されている。図４に示す例では、選択条件として、鶏卵の採卵日や青果物の採取日が何時であるかが定められている。具体的には、採卵日・採取日が１月〜３月であれば検索コード割当テーブルＡが選択され、採卵日・採取日が４月〜８月であれば検索コード割当テーブルＢが選択され、採卵日・採取日が９月〜１２月であれば検索コード割当テーブルＣが選択されるように設定されている。
【００３４】
例えば、鶏卵の採卵数が多いときは鶏卵に多い数（広い範囲）の検索コードが割り当てられた検索コード割当テーブルが選択され、鶏卵の採卵数が少ないときは鶏卵に比較的少ない数（狭い範囲）の検索コードが割り当てられた検索コード割当テーブルが選択されるように、選択条件を定めておくようにすればよい。他の食物についても同様である。なお、選択条件は、月単位でない他の期間とされていてもよい。
【００３５】
次に、本例の鶏卵情報管理システム１００の動作について説明する。
ここでは、ＧＰセンタＡに入荷された鶏卵に鶏卵コード付与装置４１によって鶏卵付与コードが付与される処理等について説明する。また、ここでは、説明を簡単にするため、同一の生産・流通情報を持つ所定個の鶏卵に、鶏卵検索コードを付与する場合を例に説明する。
【００３６】
図５は、本例の鶏卵情報管理システム１００におけるコード付与処理の例を示すフローチャートである。コード付与処理において、先ず、ＧＰセンタサーバ３０は、ＧＰセンタＡに入荷された鶏卵が収容されたケースに付されている生産情報を読み取り、読み取った生産情報を含む個品コード発行要求情報を提示して、鶏卵マスタコード管理サーバ２０に対して個品コード発行要求を行う（ステップＳ１０１）。
【００３７】
なお、本例では、同一のケースに収容された鶏卵は、同一の生産・流通情報を持つものとする。同一の生産・流通情報を持つ鶏卵が、複数のケースに収容されている場合には、その複数のケースのうちの１つに付されている生産情報を読み取り、複数のケースに収容されている全ての鶏卵に同一の鶏卵検索コードが付与されるようにしてもよいし、各ケース毎に生産情報を読み取り、各ケース毎に異なる鶏卵検索コードが付与されるようにしてもよい。
【００３８】
個品コード発行要求情報は、生産情報と、所定の流通情報（例えば、ＧＰセンタＡへの搬入日時、使用する鶏卵コード付与装置の装置番号など）とを含む情報である。
【００３９】
個品コード発行要求を受けると、鶏卵マスタコード管理サーバ２０は、使用テーブル決定用マスタにおける選択条件を参照し、個品コード発行要求情報に含まれている採卵日に対応付けされている検索コード割当テーブルを、使用する検索コード割当テーブルとすることに決定する（ステップＳ１０２）。ここでは、検索コード割当テーブルＡが使用テーブルに決定されたものとする。
【００４０】
次いで、鶏卵マスタコード管理サーバ２０は、決定した検索コード割当テーブルを用いて、鶏卵検索コードに割り当てられている検索コードの範囲を確認する（ステップＳ１０３）。ここでは、検索コード割当テーブルＡによって「０００００」〜「３００００」の範囲であることが確認される。
【００４１】
そして、鶏卵マスタコード管理サーバ２０は、受信した個品コード発行要求情報にもとづいて鶏卵履歴コードを決定するとともに、鶏卵検索コードしての使用が許容されている範囲の中から今回の鶏卵検索コードを決定し、生成した鶏卵履歴コードの上位桁に決定した鶏卵検索コードを付加した個品コードを発行して、発行した個品コードを、通信ネットワーク５０を介してＧＰセンタサーバ３０に送信する（ステップＳ１０４）。
【００４２】
鶏卵検索コードの決定は、本例では５桁の検索コードのうち鶏卵検索コードしての使用が許容されている（「０００００」〜「３００００」）の中から未使用のコードを選択することで決定する。例えば、「０００００」、「００００１」のように順番に選択することとし、これまでに発行したコードよりも「１」大きい数のコードを発行するようにすればよい。発行済の鶏卵検索コードを示す発行済コード情報は、鶏卵マスタコード管理サーバ２０が備える鶏卵マスタコードＤＢに格納されている。
【００４３】
なお、発行済コード情報は、１日、１週間、１月などの所定期間毎に削除される。発行済コード情報の発行期間は、本例では、５桁の鶏卵検索コードの全てが発行されてしまうことのない十分な期間とされる。具体的には、鶏卵検索コードが全て発行されるまでに早くても３５日かかる場合には、１月毎に発行済コード情報を削除するようにすればよい。ただし、１日に満たない数時間毎の更新では、正確な検索ができなくなってしまうおそれがあるので、その場合にはコードの桁数を増やし、１日未満の数時間で更新しなくてもよいようにすればよい。
【００４４】
発行された個品コードを受信すると、ＧＰセンタサーバ３０は、受信した個品コードを鶏卵検索コードに変換する（ステップＳ１０５）。すなわち、１６桁の個品コードの上位５桁を抜き出すことで、鶏卵検索コードに変換する。
【００４５】
次いで、ＧＰセンタサーバ３０は、鶏卵検索コードを、鶏卵コード付与装置４１に通知する（ステップＳ１０６）。そして、鶏卵検索コードの付与状況を監視する処理を開始する（ステップＳ１０７）。具体的には、今回通知した鶏卵検索コードに関わる付与実績ファイルが鶏卵コード付与装置４１にて生成されたか否かを監視する。
【００４６】
鶏卵検索コードの通知を受けると、鶏卵コード付与装置４１は、通知された鶏卵検索コードを各鶏卵に付与する処理を実行するとともに、鶏卵検索コードを付与した鶏卵の数をカウントする処理を行う（ステップＳ１０８）。また、鶏卵コード付与装置４１は、６個毎、１０個毎などの所定個毎に、鶏卵をパックに詰めるパック詰処理を行う。鶏卵への鶏卵検索コードの付与は、本例では鶏卵の殻に印字することで行う。なお、鶏卵やパックに貼付されるシールに付与するようにしてもよいし、パックに印字するようにしてもよい。また、ステップＳ１０８にて、鶏卵検索コードを付与した鶏卵の数としてカウントした数を、逐次個品コードに加えるようにしてもよい。
【００４７】
また、鶏卵コード付与装置４１は、鶏卵、鶏卵が詰められるパック、パックに貼付されるシール、店頭表示のうちいずれかに、採卵日を示す採卵日コードを付与する。図６に、鶏卵に鶏卵検索コード及び採卵日コードが印字された状態の例を示す。図６に示すように、鶏卵への印字は、例えば上段に採卵日コードが印字され、下段に鶏卵検索コードが印字された二段併記とされる。なお、図６に示す印字状態は一例であり、他の状態となるようにしてもよい。
【００４８】
そして、ケースに収容されていた複数の鶏卵についての鶏卵検索コード付与等の一連の処理を終了すると、鶏卵コード付与装置４１は、今回付与した鶏卵検索コードに関わる付与実績ファイルを生成し、自己が備える記憶媒体に登録する（ステップＳ１０９）。付与実績ファイルには、付与した鶏卵検索コード、鶏卵検索コードを付与した鶏卵の数などの情報が含まれる。
【００４９】
ＧＰセンタサーバ３０は、ステップＳ１０７にて開始した監視処理において、付与実績ファイルが生成されたことを確認すると、生成された付与実績ファイルを鶏卵コード付与装置４１から取得し（ステップＳ１１０）、個品コードを復元し（ステップＳ１１１）、復元した個品コードを鶏卵マスタコード管理サーバ２０に登録する（ステップＳ１１２）。
【００５０】
鶏卵マスタコード管理サーバ２０は、ＧＰセンタサーバ３０からの個品コードを含む鶏卵マスタコードとし、鶏卵マスタコードＤＢ２１に登録すると、その登録処理結果を通知する（ステップＳ１１３）。
【００５１】
登録処理結果を受けると、ＧＰセンタサーバ３０は、正常に登録されていれば（ステップＳ１１４）、自己及び鶏卵コード付与装置４１に登録されている付与実績ファイルを削除する（ステップＳ１１５）。一方、正常に登録されていなければ（ステップＳ１１４）、鶏卵コード付与装置４１に登録されている付与実績ファイルは削除せず保存したままにしておく。
【００５２】
このように、鶏卵マスタコード管理サーバ２０が備える鶏卵マスタコードＤＢ２１に付与した鶏卵検索コードを含む個品コードが正常に登録されたことが確認できない場合には、鶏卵コード付与装置４１に登録されている付与実績ファイルを削除せず保存しておくようにしているので、付与された鶏卵検索コードに関わる情報を紛失してしまうことを防止することができる。
【００５３】
次に、トレーサビリティシステムにおける商品の履歴照会にもとづく履歴提供処理について説明する。
図７は、鶏卵を購入した消費者に使用される消費者端末７０を含む履歴照会システムの例を示すブロック図である。なお、図７において、図１に示したシステム１００と同一のものについては、同一の符号を付与して詳細な説明は省略する。
【００５４】
消費者端末７０は、例えばパーソナルコンピュータや携帯情報端末などの情報処理装置によって構成され、通信ネットワーク５０に接続するためのソフトウェア及びハードウェアを含む環境を備えているものとする。
【００５５】
ここでは、鶏卵Ｙを購入した消費者Ｘが、消費者端末７０を用いて鶏卵Ｙの履歴照会を要求した場合を例に説明する。
【００５６】
先ず、消費者端末７０は、消費者Ｘの操作に応じて、鶏卵マスタコード管理サーバ２０にアクセスし、鶏卵Ｙあるいは鶏卵Ｙが収容されていたパックに付与されている採卵日コードと、鶏卵Ｙに付与されている鶏卵検索コードとを提示する。この場合、採卵日コードが、消費者端末７０のカレンダー機能により自動提示された最新の日付を示すコードと一致する場合には、鶏卵検索コードの提示だけでもよい。
【００５７】
鶏卵マスタコード管理サーバ２０は、採卵日コードと鶏卵検索コードを提示した履歴照会要求を受けると、自己が備える鶏卵マスタコードＤＢ２１に格納されている鶏卵マスタコードを参照し、提示された採卵日コードと鶏卵検索コードとを含む鶏卵マスタコードを検索し、検索した鶏卵マスタコードに含まれる鶏卵履歴コードにもとづいて、鶏卵Ｙの履歴情報を特定する。
【００５８】
なお、事前に消費者端末７０に履歴照会要求の実行機能を有するアプリケーションを格納しておき、そのアプリケーションにより、例えばＯＣＲ認識装置によって電子化した鶏卵検索コードを用いて履歴照会要求を行うようにしてもよい。
【００５９】
本例では、鶏卵マスタコード管理サーバ２０は、検索した鶏卵マスタコードに含まれる鶏卵履歴コードにもとづいて、鶏卵マスタコードＤＢ２１から流通情報を取得し、生産履歴情報管理サーバ１０から生産情報を取得する。
【００６０】
そして、鶏卵マスタコード管理サーバ２０は、消費者端末７０に対して、取得した計量関連情報が示す情報の一部または全部を流通履歴の一部または全部として提供し、取得した生産情報の一部または全部を生産履歴の一部または全部として提供する。
【００６１】
次に、鶏卵情報管理システム１００における危険鶏卵情報配信処理について説明する。図８は、危険鶏卵情報配信処理の例を示すフローチャートである。
【００６２】
危険鶏卵情報配信処理において、生産履歴情報管理サーバ１０は、先ず、鶏卵あるいは鶏が鳥インフルエンザなどの特定の伝染病（廃棄する必要のある伝染病）に感染したことを示す感染情報が通信ネットワーク５０を介して送られてきたか否かを常時（例えば、１秒毎、１分毎、１０分毎）監視する（ステップＳ２０１）。感染対象が鶏である場合には、感染情報として、その鶏（感染鶏）が飼育されている鶏舎を示す鶏舎情報と、伝染病が発覚した日付とが含まれる。また、感染対象が鶏卵である場合には、感染情報として、その鶏卵（感染鶏卵）の採卵日と、感染鶏卵が採卵された鶏舎とを特定可能な情報（例えば採卵日コードと鶏卵検索コード、あるいは採卵日と鶏舎情報）が含まれる。また、感染情報には、感染情報が鶏であるか鶏卵であるかを示す情報も含まれる。なお、感染情報は、例えば鶏舎の管理者、感染病の検査機関、ＧＰセンタの管理者などからもたらされる。
【００６３】
感染情報を受信すると、生産履歴情報管理サーバ１０は、感染情報にもとづいて、感染に関わる鶏舎を示す鶏舎情報と、伝染病に感染していた可能性のある最も早い日を示す日付情報とを特定する（ステップＳ２０２）。具体的には、感染対象が鶏である場合には、感染鶏が飼育されている鶏舎を示す鶏舎情報と、感染が発覚した日前の最後に該当する鶏舎で伝染病検査が行われた日の翌日を示す日付情報とを特定する。また、感染対象が鶏卵である場合には、感染鶏卵が採卵された鶏舎を示す鶏舎情報と、感染鶏卵が採卵された採卵日を示す日付情報とを特定する。鶏舎情報と日付情報とを特定するために必要な情報（例えば、各鶏舎での伝染病検査日など）は、生産履歴情報ＤＢ１１に格納されているものとする。
【００６４】
次いで、生産履歴情報管理サーバ１０は、特定した鶏舎情報が示す鶏舎と、その鶏舎と所定の関係にある鶏舎（例えば、所定距離内に位置している鶏舎、飼料を同じ業者から購入している鶏舎など）とを、危険鶏舎に決定する（ステップＳ２０３）。各鶏舎の距離関係や、各鶏舎で使用している飼料及び購入元業者に関する情報は、例えばあらかじめ生産履歴情報ＤＢ１１に格納されているものとする。
【００６５】
次に、生産履歴情報管理サーバ１０は、ステップＳ２０２で特定した日付情報が示す危険日付以降に危険鶏舎で採卵された鶏卵を探索し（ステップＳ２０４）、探索した鶏卵を伝染病に感染している可能性のある危険鶏卵とすることに決定する（ステップＳ２０５）。ステップＳ２０４での探索は、鶏卵マスタコードを検索し、危険鶏舎を示す鶏舎コードを含む鶏卵履歴コードと、危険日付以降の日付となっている採卵日コードとに対応付けされている鶏卵検索コードを抽出することで行われる。ステップＳ２０４にて抽出した鶏卵検索コードが印字された鶏卵が、ステップＳ２０５にて危険鶏卵に決定される。
【００６６】
そして、生産履歴情報管理サーバ１０は、危険鶏卵を示す鶏卵検索コードを列挙した危険情報を、通信ネットワーク５０を介して、鶏舎、ＧＰセンタ、鶏卵を販売する販売店などに設置されている端末装置に向けて配信する（ステップＳ２０６）。
【００６７】
以上に説明したように、上述した一実施の形態では、生産履歴情報管理サーバ１０が、伝染病の感染が発覚した鶏卵の鶏舎を示す鶏舎情報と、該鶏卵の採卵日を示す採卵日情報とを受け付け、受け付けた鶏舎情報が示す鶏舎を含む所定エリアの鶏舎を危険鶏舎に決定し、受け付けた採卵日情報が示す採卵日以降に危険鶏舎で採卵された鶏卵を、各鶏卵に付与されている鶏卵検索コードを含む鶏卵マスタコードを用いて探索し、探索した鶏卵を危険鶏卵として特定し、危険鶏卵に印字されている鶏卵検索コードを危険情報として通信ネットワークを介して配信する構成としたので、鳥インフルエンザなどの伝染病の感染が発覚した場合に、迅速かつ的確に感染のおそれがある鶏卵を特定することができ、廃棄などの伝染病の対策を早期に講じることができるようになる。
【００６８】
すなわち、伝染病の感染が発覚したときに、危険情報として伝染病に感染しているおそれのある鶏卵に印字されている鶏卵検索コードが即時に配信されるので、配信先にて危険鶏卵を迅速に特定することが可能となり、早期に廃棄することが可能となる。
【００６９】
また、上述した一実施の形態では、各鶏卵の履歴情報を特定するための鶏卵履歴コードに対応付けされる鶏卵検索コードのうち、未使用の鶏卵検索コードのいずれかを、鶏卵に付与する鶏卵検索コードとすることに決定し、決定した鶏卵検索コードを履歴情報が同一の鶏卵に付与し、鶏卵に付与した鶏卵検索コードを、鶏卵履歴コード及び採卵日コードに対応付けして保存し、消費者端末７０からの採卵日コード及び鶏卵検索コードを提示した履歴情報の提供要求に応じて、採卵日コード及び鶏卵検索コードに対応付けされている鶏卵履歴コードを探索し、探索した鶏卵履歴コードによって特定される履歴情報を、消費者端末７０に対して通信ネットワーク５０を介して送信する構成としたので、鶏卵に付与可能な桁数で鶏卵の履歴情報を正確に検索することができる鶏卵検索コードを鶏卵に付与することができ、鶏卵に付与されている鶏卵検索コードにもとづいて正確に鶏卵の履歴情報を特定することができるようになる。
【００７０】
また、上述した一実施の形態では、鶏卵を含む所定の複数種類の食物の履歴情報を特定するために用いられる固定長、或いはあらかじめ定められたコード長の範囲内で複数種類の食物の履歴情報を特定するために用いられる特定長の検索コードのうち、各鶏卵の履歴情報を特定するための鶏卵履歴コードに対応付けされる鶏卵検索コードとして用いることが許容されている範囲を特定し、該特定した範囲の鶏卵検索コードのうち、未使用の鶏卵検索コードのいずれかを、鶏卵に付与する鶏卵検索コードとすることに決定するようにしたので、固定長あるいは特定長の検索コードの中の鶏卵検索コードとして使用しない範囲を、他の食物の検索コードとして使用することができるようになり、検索コードを有効利用することができるようになる。
【００７１】
すなわち、固定長の検索コードにおける鶏卵検索コードとして使用されることがない範囲を、他の食物の検索コードとして利用することができるため、固定長あるいは特定長の検索コードを無駄なく利用することができるようになる。
【００７２】
また、上述した一実施の形態では、検索コードにおける鶏卵検索コードとして使用可能な割り当てが設定されている検索コード割当テーブルを用いて、鶏卵検索コードとして用いることが許容されている範囲を特定するようにしたので、検索コード割当テーブルにあらかじめ許容範囲を設定しておくことができ、鶏卵検索コードとして用いることが許容されている範囲を容易に特定することができる。また、検索コード割当テーブルには、鶏卵以外の食物の検索コードの使用許容範囲も設定されるので、複数の食物についての検索コードの使用許容範囲をあらかじめ割り当てておくことができ、各食物の検索コードとして用いることが許容されている範囲を容易に特定することができる。
【００７３】
また、上述した一実施の形態では、複数種類の検索コード割当テーブルをあらかじめ用意し、複数種類の検索コード割当テーブルと各検索コード割当テーブルの選択条件とが設定された決定用マスタを用いて、使用する検索コード割当テーブルを決定するようにしているので、選択条件に応じて異なる検索コード割当テーブルを使用することができるようになり、採卵数や採取数が多いと予測されるときと、少ないと予測されるときとで、鶏卵検索コードの使用許容範囲を異ならせるようにすることができ、検索コードをさらに有効活用することができるようになる。
【００７４】
また、上述した一実施の形態では、鶏卵マスタコードが、鶏卵検索コードの下位桁に鶏卵履歴コードが対応付けされているとともに、当該鶏卵検索コードの上位桁に採卵日コードが対応付けされているコード構成とされており、消費者端末７０からの採卵日コードの下位桁に鶏卵検索コードが対応付けされた履歴要求情報を提示した履歴情報の提供要求に応じて、当該履歴要求情報に対応付けされている鶏卵履歴コードを探索する構成としているので、鶏卵検索コードにもとづく履歴情報の特定を容易に行うことができる。
【００７５】
すなわち、消費者端末７０からの履歴要求情報である採卵日コードと鶏卵検索コードとによる一連のコードが、鶏卵マスタコードの連続した所定桁数に含まれているか否かによって、容易に鶏卵履歴コードを含む鶏卵マスタコードを検索することができるようになり、鶏卵検索コードにもとづく履歴情報の特定を容易に行うことができる。
【００７６】
なお、上述した一実施例では、採卵日コードを用いて検索等を行うようにしていたが、採卵日を特定可能な採卵日関連コードであればよく、例えば、賞味期限を示す賞味期限コードや、品質保証期限を示す品質保証期限コードであってもよい。また、採卵日を特定できる鶏卵検索コード上で、一意のコードで置き換えてもよい。すなわち、各鶏卵検索コードに一意に対応させた所定のコードを用いるようにしてもよい。
【００７７】
また、上述した一実施の形態では、主として鶏卵への検索用のコードの付与や管理について説明していたが、野菜や果物などの他の食物についての検索用のコードの付与や管理に適用することができる。
【産業上の利用可能性】
【００７８】
本発明によれば、鳥インフルエンザなどの伝染病の感染が発覚した場合に、迅速かつ的確に感染のおそれがある鶏卵を特定し、廃棄などの伝染病の対策を早期に講じるのに有用である。
【図面の簡単な説明】
【００７９】
【図１】本発明の一実施の形態に係る鶏卵情報管理システムの構成の例を示すブロック図である。
【図２】鶏卵マスタコードの例を示す説明図である。
【図３】検索コード割当テーブルの例を示す説明図である。
【図４】使用テーブル決定用マスタの例を示す説明図である。
【図５】コード付与処理の例を示すフローチャートである。
【図６】鶏卵に鶏卵検索コード及び採卵日を印字した状態の例を示す説明図である。
【図７】鶏卵を購入した消費者に使用される消費者端末を含む履歴照会システムの例を示すブロック図である。
【図８】危険情報配信処理の例を示すフローチャートである。
【符号の説明】
【００８０】
１０        生産履歴情報管理サーバ
１１        生産履歴情報ＤＢ
２０        鶏卵マスタコード管理サーバ
２１        鶏卵マスタコードＤＢ
３０        ＧＰセンタサーバ
４１〜４Ｎ  鶏卵コード付与装置
５０，６０  通信ネットワーク
７０        消費者端末
１００      鶏卵情報管理システム
【図１】
0004825567.tif 000002
【図２】
0004825567.tif 000003
【図３】
0004825567.tif 000004
【図４】
0004825567.tif 000005
【図５】
0004825567.tif 000006
【図６】
0004825567.tif 000007
【図７】
0004825567.tif 000008
【図８】
0004825567.tif 000009